(57)【要約】【課題】本考案は水洗便器の節水機構に関し、水洗便器の後部に形成された収納空間に配設される節水機構に関するものである。【解決手段】本考案の水洗便器の節水機構は、便器５０の後方に形成された収容空間５１に水洗機構７０が配置され、この水洗機構７０の調節装置７３が、一端部では水洗用ハンドル７７４と連結して、更にまた洗水供給用管Ｂと２本の管状通路７２２とに連結している。そして、水洗するためにハンドル７７４を下側に旋回すると、水調節装置７３に形成された２個の楕円形貫通孔７３２と管状通路７２２とが整合して、管状通路７２２に連結された洗水用導管６０及び下方通路５４を介し、且つ、排泄物排出通路５８の放出口を介して洗水がどっと流れ出すようになるので、少量の水で排泄物を流し出すことができる構成とした。【選択図】　　　図７
0003096823.tif 000002
【実用新案登録請求の範囲】
【請求項１】
水洗便器のための節水機構であって、前記機構が、
一端部に水洗用ハンドルへ接続されたリンク集成体と、
前記リンク集成体の他端部と係合した水調節装置と、
前記水洗便器の後部壁に固定され、かつ上部水出口部、底部水出口部、左水入口部及び前記水調節装置を収容する開口を有し、前記上部水出口部と前記便器の上部周縁に固着された複数の洗水噴出口を有する洗水用導管、前記底部水出口部と前記便器の排泄物排出通路と連通する下方通路、左水入口部と洗水供給管とがそれぞれ連結されるようになっている管継ぎ手ユニットと、
前記水調節装置及びリンク集成体にそれぞれ係合した歯車集成体と、
前記水洗用ハンドルが下側へ旋回されるにつれ、前記水調節装置と係合して前記歯車集成体により付勢されるようになり、前記水洗用ハンドルが解放された後、前記水調節装置が元の位置へと復帰作動されるようになっているバイアス・コイル・スプリングとを備え、
前記左水入口部と連通した前記水調節装置はその壁部に限定された一対の貫通孔を有しており、前記水洗用ハンドルの付勢の結果、水調節装置が旋回されるにつれ、前記貫通孔が前記上部及び底部水出口部それぞれと整合するようになり、洗水が、洗水用導管及び便器の排泄物排出通路と連通する下方通路を介して、放出され水洗操作をするたびに産出される強烈な水洗乱流が、少ない水量で排泄物を排出できるようになっていることを特徴とする水洗便器の節水機構。
【請求項２】
前記歯車集成体は、前記管継ぎ手ユニットに水調節装置が収容した後、該管継ぎ手ユニットを密封するための密封用キャップと共に前記水調節装置の伸長シャフトに配置された主駆動歯車と、前記便器の後部壁部に形成した収容空間の壁部に固定された基盤に固着されているＣ字形固定用ブラケットへ同軸に固定された大歯車と第１小歯車と、更に、前記バイアス・コイル・スプリングと共に固定用ブラケットに同軸に配置された第２小歯車とを含み、前記大歯車は前記第２小歯車と噛合しており、前記主駆動歯車は固定用ブラケットの２枚の平行に配置された壁間に位置付けられた前記第１小歯車と噛合しており、これによって、ハンドルを押付けて下側に旋回すると、水洗するために水調節装置が所望角度旋回させられ、水洗用ハンドルを解放した時に、前記バイアス・コイル・スプリングが、旋回した水調節装置をゆっくりと元の位置へ戻すようにし、便器から排泄物を効果的に排出するように、洗水が時間的に長く排出されるようにしたことを特徴とする請求項１に記載した水洗便器の節水機構。
【請求項３】
前記水調節装置は、一端部に伸長シャフトが形成され、他端部には前記管継ぎ手ユニットの左水入口と連通する開口を有する管形状に形成されていて、前記管状の水調節装置の２個の貫通孔は楕円形に形成され且つ対称に位置付けられており、前記貫通孔の内の１個に隣接して小丸孔が形成されており、前記小丸孔と貫通孔が回転されて、水洗停止状態に前記管継ぎ手ユニットの壁面部に直面したときに、前記水調節装置が密閉状態になるようにしたことを特徴とする請求項１に記載した水洗便器の節水機構。
【考案の詳細な説明】
【０００１】
【考案の属する技術分野】
本考案は水洗便器に関し、特に水洗便器の後部に形成された収納用空洞位置に配置された節水機構に関するものである。
【０００２】
【従来の技術】
従来技術について、図１，図２，図３を参照して説明する。これら３つの従来例に示される水洗便器１０，２０，３０には全て貯水用タンク１１，２１，３１が備えられている。これら３つの水洗便器１０，２０，３０にはそれぞれ周縁に水洗用導管１２，２２，３２が配置されていて、これら導管にはそれぞれ、水洗便器の上部に限定された複数個の排水口１３，２３，３３が設けられており、排水は便器の壁面１４，２４，３４沿いにどっと流れ落ちるようになっている。
【０００３】
これら従来の水洗便器１０，２０，３０には、鵞鳥の首の形状をした汚物排出通路１６，２６，３６が設けられている。各々の排出通路１６，２６，３６には、前方停止領域１７，２７，３７と後方停止領域１８，２８，３８とが形成されている。水洗便器の不使用時は、前方停止領域１７，２７，３７と後方停止領域１８，２８，３８の間に形成された貯水域１５，２５，３５に水が溜まるようになっていて、貯水域に溜まった水は、汚物排出通路１６，２６，３６を介して悪臭が逆流して進入して来ないようにする働きをする。また、図２の第２の従来例の水洗便器には、排水口２１５が貯水域に追加されていて、汚物排出通路２６から排泄物がいっそう出て行き易いようにしている。
【０００４】
これら３つの従来技術の便器構造では、それぞれの水洗用導管１２，２２，３２を介して貯水タンクから便器つぼへ水が排水されるようになっている。どっと流れた水は乱流を生じせしめて、後方停止領域１８，２８，３８の後側に産出される気圧差や真空吸入力を利用して、排泄物を汚物排出通路１６，２６，３６へ強力に押しやるようにしている。
【０００５】
更に、図４に示す第４の従来例の高圧水により作動する便器４０では、高圧水タンクに連結された洗水供給導管４２に接続された水洗装置４１が備え付けられており、この水洗装置４１はその中に配設された弁ユニットを開閉する足踏み操作式切換えペダル４１３によって制御されて、水を放出／停止できるようになっている。
【０００６】
【考案が解決しようとする課題】
しかし、このような従来の水洗便器構造には、以下に述べるような問題点がある。
▲１▼　排泄物を完全に汚物排出通路へ押し流すようにするためには、便器に使用される水量がかなり多い。
▲２▼　貯水域と汚物排出通路間との間に圧力の不均衡が生じることで、一旦押し流された排泄物の一部が貯水域へ逆流して押し戻されてしまう恐れがある。
▲３▼　図３に示した第３従来例におけるタンクの位置する高さでは、上下の落差が小さく水洗作用を効果的なものとすることができない。
▲４▼　図４にある第４従来例に示すこの種の水洗便器では、高圧水を供給できる設備の整った場所にしか据え付けられないので、一般家庭の建物には不向きである。
【０００７】
従って、この考案は、水洗便器の上部周囲に配置された洗水用導管と汚物排出通路に配設された排水口へ導入される放水量を制御することのできる歯車作動式圧力変動装置を装備し、従前よりも少ない水量で排泄物が水洗できるように強い吸入力を産出するようにした水洗便器の節水機構を提供することを目的とする。
【０００８】
更に、この考案は、便器の後方部に配置された収容空洞に直接収容され得るようにサイズが非常にコンパクトで、家庭用貯水タンク或いは流水供給源によって直接操作されるようにした、水洗便器の節水機構を提供することを目的とする。更にまた、汚物排出通路に配設された排水口を介して水を放出することができ、洗水の強力な乱流を起こすことにより、悪臭を発生させずに排泄物を排出できるようにした水洗便器の節水機構を提供することを目的とする。
【０００９】
そして更に、ハンドルが下側に旋回されたときに、水調節装置に形成された２個の水出口を管継ぎ手ユニットの２個の排水口と整合するように回転できるようにした歯車作動式圧力変動装置を装備して、管継ぎ手ユニットに充填されている洗水が便器へどっと流れ出るようにした水洗便器の節水機構を提供することを目的としている。
また、前記水調節装置は、水洗操作終了時に使用者がハンドルを放した時、バイアス・コイル・スプリングによって、回転していた水調節装置をその非作動状態位置に再び戻るように作動するようになっている。
【００１０】
そして更にまた、貯水タンクを省くことで、一側面では据え付け空間を節約するようにすると共に、別の側面では、製品生産時に欠陥製品を効果的に減少させることのできるようにした、水洗便器の節水機構を提供することを目的とするものである。
【００１１】
【課題を解決するための手段】
上記目的を達成するために請求項１の考案は、洗便器のための節水機構であって、前記機構が、一端部に水洗用ハンドルへ接続されたリンク集成体と、前記リンク集成体の他端部と係合した水調節装置と、前記水洗便器の後部壁に固定され、かつ上部水出口部、底部水出口部、左水入口部及び前記水調節装置を収容する開口を有し、前記上部水出口部と前記便器の上部周縁に固着された複数の洗水噴出口を有する洗水用導管、前記底部水出口部と前記便器の排泄物排出通路と連通する下方通路、左水入口と洗水供給管とがそれぞれ連結されるようになっている管継ぎ手ユニットと、前記水調節装置及びリンク集成体にそれぞれ係合した歯車集成体と、前記水洗用ハンドルが下側へ旋回されるにつれ、前記水調節装置と係合して前記歯車集成体により付勢されるようになり、前記水洗用ハンドルが解放された後、前記水調節装置が元の位置へと復帰作動されるようになっているバイアス・コイル・スプリングとを備え、前記左水入口部と連通した前記水調節装置はその壁部に限定された一対の貫通孔を有しており、前記水洗用ハンドルの付勢の結果、水調節装置が旋回されるにつれ、前記貫通孔が前記上部及び底部水出口部それぞれと整合するようになり、洗水が、洗水用導管及び便器の排泄物排出通路と連通する下方通路を介して、放出され水洗操作をするたびに産出される強烈な水洗乱流が、少ない水量で排泄物を排出できるようになっていることを特徴とする。
【００１２】
請求項２の考案は、請求項１に記載した水洗便器の節水機構において、前記歯車集成体は、前記管継ぎ手ユニットに水調節装置が収容した後、該管継ぎ手ユニットを密封するための密封用キャップと共に前記水調節装置の伸長シャフトに配置された主駆動歯車と、前記便器の後部壁部に形成した収容空間の壁部に固定された基盤に固着されているＣ字形固定用ブラケットへ同軸に固定された大歯車と第１小歯車と、更に、前記バイアス・コイル・スプリングと共に固定用ブラケットに同軸に配置された第２小歯車とを含み、前記大歯車は前記第２小歯車と噛合しており、前記主駆動歯車は固定用ブラケットの２枚の平行に配置された壁間に位置付けられた前記第１小歯車と噛合しており、これによって、ハンドルを押付けて下側に旋回すると、水洗するために水調節装置が所望角度旋回させられ、水洗用ハンドルを解放した時に、前記バイアス・コイル・スプリングが、旋回した水調節装置をゆっくりと元の位置へ戻すようにし、便器から排泄物を効果的に排出するように、洗水が時間的に長く排出されるようにしたことを特徴とする。
【００１３】
請求項３の考案は、前記請求項１に記載した水洗便器の節水機構において、前記水調節装置は、一端部に伸長シャフトが形成され、他端部には前記管継ぎ手ユニットの左水入口と連通する開口を有する管形状に形成されていて、前記管状の水調節装置の２個の貫通孔は楕円形に形成され且つ対称に位置付けられており、前記貫通孔の内の１個に隣接して小丸孔が形成されており、前記小丸孔と貫通孔が回転されて、水洗停止状態に前記管継ぎ手ユニットの壁面部に直面したときに、前記水調節装置が密閉状態になるようにしたことを特徴とする。
【００１４】
【考案の実施の形態】
以下、本考案の一実施形態について、図面を参照して説明する。
本考案の水洗便器の節水機構は主に、図７に示すように、水洗便器５０、洗水用導管６０、水洗機構７０から構成される。
【００１５】
水洗便器５０の後側には後述の水洗機構７０を収容する収容空間５１が形成されており、便器上部開口の内側周縁には前記洗水用導管６０を配設する取付溝５２が形成され、そして、便器上部後方には前記収容空間５１に連通する貫通孔５３が形成されている。水洗便器５０の下方通路５４の入口部５６ａには接続管部材５５が配置され、下方通路５４の他端部には下方出口５６ｂが設けれている。水洗便器５０の底部には貯水域５７が形成されており、鵞鳥の首の形状に似た排泄物排出通路５８と連通している。
【００１６】
水洗便器５０の取付溝５２とぴたりと組合わされた前記洗水用導管６０には、複数個の洗水噴出孔６２が形成されている。ねじ式に接続する接続管部材６１が貫通孔５３を介して連結されている（図５参照）。便器５０の収容空間５１には、基盤７１、管継ぎ手ユニット７２、水調節装置７３、密封用キャップ７４、複数個のねじ７５、主駆動歯車７６、ハンドル操作式リンク装置７７から成る水洗機構７０が設置されるようになっている。基盤７１の四隅それぞれには、ボルトがぴたりと嵌る楕円形の貫通孔７１１が形成されていて、ボルトをナットで締めつけることで、基盤７１を便器５０の収容空間５１の内側表面の適所に固着することができる。
【００１７】
基盤７１の下方右側部分に隣接して、２枚の対称的な側壁を有する固定用ブラケット７１２が固定され、２枚の側壁の間には小歯車７１３が設置されており、側壁の外側には、小歯車７１３と同軸に大歯車７１４が配置されている。　側壁の外側に配置された第２小歯車７１５もまた大歯車７１４と噛合している。第２小歯車７１５の軸が伸長して固定用ブラケット７１２の反対側壁に回動可能に軸支され、軸端部と側壁との間に連結されたバイアス・コイル・スプリング７１６が設けられている。
【００１８】
基盤７１の左側上部に固定された管継ぎ手ユニット７２には、上部水出口部、底部水出口部、左水入口部が形成された管状通路７２２を有するねじ式連結管７２１が形成されている。このねじ式連結管７２１の上部は、連結パイプＡ１を介して洗水用導管６０の接続管部材６１のねじ部に螺合される。ねじ式連結管７２１の底部は、別の連結パイプＡ２を介して水洗便器５０の下方通路５４の入口側接続部材５５に連結される。左側端部のねじ式連結管７２１は洗水供給管Ｂに連結される。管継ぎ手ユニット７２の右側端部開口の周縁フランジ部には複数個のねじ穴７２４が形成されている。
【００１９】
筒状の水調整装置７３は管継ぎ手ユニット７２の内部に収容されるのであるが、その一端部には管状開口７３１が形成されている。管状開口７３１から適切な距離をおいて側壁面には１対の楕円形貫通孔７３２が対称に形成され、これら貫通孔７３２の１つに隣接して小丸孔７３３が形成されている。水調整装置７３が管継ぎ手ユニット７２に嵌合挿入されるにつれて、楕円形貫通孔７３２と小丸孔７３３は管継ぎ手ユニット７２の壁面部で塞がれてゆく。水調整装置７３の他端部には一対の密封用リング７３４が配設されていて、その軸受端部から小径のロッド部７３５が伸長している。
【００２０】
中央に貫通孔７４１を有する密封用キャップ７４は、軸受された伸長ロッド７３５がぴたりと合わせられてから、密封用キャップ７４の周縁の貫通孔７４２に通したボルト７５によって管継ぎ手ユニット７２の周縁フランジ部にあるねじ穴７２４に嵌合して、固定される。
【００２１】
前記伸長ロッド７３５の端部は、ハンドル操作式リンク装置７７の第１リンクロッド７７１の一端に固定され、リンクロッド７７１の他端部は駆動ロッド７７２の一端部に旋回可能に接続され、さらに他端部が第２リンクロッド７７３の一端に連結されることでリンクを構成している。ハンドル７７４は、水洗便器５０の外側へ飛び出したロッドを介して第２リンクロッド７７３の他端部と連結される。
また、前記伸長ロッド７３５の端部には、前記固定用ブラケット７１２に配設された小歯車７１３と噛合する主駆動歯車７６が配設されている。
【００２２】
図７を参照して、更に図８及び図９もあわせて参照して、本考案の動作について全体的に説明する。
管状通路７２２を有する、管継ぎ手ユニット７２の左側連結管７２１は洗水入口バイプＢに連結されており、管状開口７３１を介して水調節装置７３に水を引き入れて、水をいっぱいに満たすようにしてある。
【００２３】
水調節装置７３が作動状態にない時、楕円形管状孔７３２と小丸孔７３３は管継ぎ手ユニット７２の壁面部で塞がれていて、閉塞状態にある。洗水を便器へどっと流し出すようにするには、水洗便器５０の一側部に配置されたハンドル７７４を下方へ押しつけて旋回させると、第２リンクロッド７７３が駆動して、一端部で下方に且つ他端部で上方に旋回し、同時に駆動ロッド７７２を上方へ持ち上げるようにする。その結果、駆動ロッド７７２の他端部に接続されている第１リンクロッド７７１の一方端が引っ張り上げられて上方へ旋回し、第１リンクロッド７７１の他端部に固定されている水調整装置７３の伸長ロッド７３５が所定の角度回転されるようになる。すると、楕円形貫通孔７３２及び小丸孔７３３が、管継ぎ手ユニット７２の上部及び底部管状通路７２２とぴたりと整合されるようになる。水流は、最高部の楕円形孔７３２から管継ぎ手ユニット７２の上部水出口部の管状通路７２２を介し、そして更に、パイプＡ１を介して便器５０の内側周縁の取付溝５２に配設された洗水用導管６０へと導かれ、そして最終的には洗水導管６０に形成された複数個の洗水噴出孔６２からどっと排水されるようになる。
【００２４】
別流の水流は、まず最初に、ハンドル７７４の旋回で付勢された水調整装置７３が回転した結果互いに整合した、水調整装置７３の底部楕円形貫通穴７３２と管継ぎ手ユニット７２の底部水出口部の管状通路７２２を介して導通されるようになる。更に、水流は便器５０の下方通路５４へ導かれ、下方通路５４の下方出口５６ｂから放出される。これにより、少ない量の水で強烈な乱流を起こすことで、便器５０の貯水域５７にある排泄物や汚水が、水洗便器５０の底部に配置された鵞鳥の首の形をした排泄物排出通路から簡単に押し出されるようになり、使用する洗水を効率よく利用することができる。
【００２５】
更に、ハンドル７７４が第２のリンクロッド７７３と、駆動ロッド７７２と、第１リンクロッド７７１とを駆動し、水調節装置７３の伸長ロッド７３５で旋回し移動して、或る程度の角度まで回転させるにつれて、伸長ロッド７３５に固着された主駆動歯車７６が基盤７１の固定用ブラケット７１２に据え付けられた第１小歯車７１３を駆動するようになる。同時に、第１小歯車７１３のちょうど隣に設置された大歯車７１４が第２小歯車７１５を駆動し、コイル・スプリングを締め上げてゆく。
【００２６】
ハンドル７７４が拘束を解かれ自由にされたとき、コイル・スプリングが逆回転して緩み、順次、第２小歯車７１５が大歯車７１４を元の位置に戻すように駆動させ、そして、大歯車が第１小歯車７１３を駆動するようになる。この後、主駆動歯車７６が第１小歯車によって速度を落させられる。その結果、伸長ロッド７３５が水調節装置７３をその元来位置へ再び戻るようにさせる。一方で、水調節装置７３の楕円形貫通孔７３２が直ちに閉ざされてしまうことはないので、洗水は依然として、水調節装置がその復帰運動で速度を緩められている状態で水調節装置７３の小丸孔７３３を介して供給されている。
【００２７】
故に、前回の水洗操作したあと適切な時間的長さ間隔でどっと排水することができるようになるので、再度水洗操作を行ったとしても、水洗便器の洗水が完全に流れないなどということがない。
また、本考案の水洗便器５０では、タンクが別体で備え付けられておらず、水洗機構７０が収容空間５１に直接収容できるようになっている。このような構造は寸法的にも非常にコンパクトで、欠陥品の生産率を効果的に低下させることができるものである。
【００２８】
【考案の効果】
本考案の水洗便器の節水機構は、便器の後方に形成された収容空間に水洗機構が配置され、この水洗機構の水調節装置が、一端部では水洗用ハンドルと連結して、更にまた洗水供給管と洗水用導管及び下方通路とに連結している。そして、水洗するためにハンドルを下側に旋回すると、水調節装置に形成された２個の楕円形貫通孔と洗水用導管とが整合して、洗水用導管を介し、且つ、排泄物排出通路と連通する下方通路を介して洗水がどっと流れ出すようになるので、少量の水で排泄物を流し出すことができるという効果をもたらす。
【００２９】
また、本考案の水調節装置は、バイアス・コイル・スプリングによって動きを制限されている歯車集成体と係合しており、このバイアス・コイル・スプリングにより、その元来位置へ復帰するのを遅らされる結果、楕円形貫通孔を介しての放水操作の閉鎖を遅らせるために、水調節装置がその復帰運動で速度を緩められている状態で洗水は依然として供給されている。故に、水洗操作をする毎に、水洗に充分効果的な水量が確保され且つ適切な時間的間隔で再度排水可能になるので、再度水洗操作した時に、時間が足りなくて洗水の量が充分でなく便器内の水が完全には流れない、などということが起きない。
【００３０】
また、本考案の水洗便器構造では従来構造のように貯水タンクを必要としないので、便器の据付け面積を効果的に減らすことができるという利点が得られると共に、工場で不良・欠陥などを伴う製品を生産する機会が減少することで、製品の精度を高めることができるという効果も得られる。
【図面の簡単な説明】
【図１】第１従来技術の水洗便器機構を示す断面図。
【図２】第２従来技術の水洗便器機構を示す断面図。
【図３】第３従来技術の水洗便器機構を示す断面図。
【図４】第４従来技術の高圧作動式水洗便器機構を示す破断斜視図。
【図５】本考案の水洗便器の節水機構の構成部品を示す一部破断分解斜視図。
【図６】本考案の水洗便器の節水機構が非作動状態にある破断斜視図。
【図７】本考案の水洗便器の節水機構が、ハンドルが下に押されて旋回されて、水洗作動状態にある破断斜視図。
【図８】本考案の水洗便器の節水機構に装備された便器における洗水の放水パターンを示す断面図。
【図９】本考案の節水機構を装備した水洗便器の平面図で、排泄物排出通路に洗水下方出口が位置付けられているのを示している。
【符号の説明】
５０　　　水洗便器
５１　　　収容空間
５２　　　取付溝
５３　　　貫通孔
５４　　　下方通路
５５　　　入口側接続管部材
５６　　　下方出口
５７　　　貯水域
５８　　　排泄物排出通路
６０　　　洗水用導管
６１　　　接続管部材
６２　　　洗水噴出孔
７０　　　水洗機構
７１　　　基盤
７１２　　固定用ブラケット
７１３　　小歯車
７１４　　大歯車
７１５　　第２小歯車
７１６　　コイル・スプリング
７２　　　管継ぎ手ユニット
７２１　　ねじ式連結管
７２２　　管状通路
７３　　　水調節装置
７３１　　管状開口
７３２　　楕円形貫通孔
７３３　　小丸孔
７３５　　伸長ロッド
７４　　　密封用キャップ
７４１　　貫通孔
７４２　　貫通孔
７６　　　主駆動歯車
７７　　　ハンドル操作式リンク装置
７７１　　第１リンクロッド
７７２　　駆動ロッド
７７３　　第２リンクロッド
７７４　　ハンドル
Ａ１，Ａ２　連結パイプ
Ｂ　　　　洗水供給管
【図１】
0003096823.tif 000003
【図２】
0003096823.tif 000004
【図３】
0003096823.tif 000005
【図４】
0003096823.tif 000006
【図５】
0003096823.tif 000007
【図６】
0003096823.tif 000008
【図７】
0003096823.tif 000009
【図８】
0003096823.tif 000010
【図９】
0003096823.tif 000011